(57)【要約】【課題】自己の端末装置以外の場所から効果音を取得することができる端末装置およびデーター取得配信システムを提供すること。【解決手段】  端末装置１において、端末装置１に備えられる操作スイッチ１３やＣＤ挿入・排出部１４等の各操作部１７に対応した効果音のデーターである効果音データーを保持する効果音データー記憶部７と、ユーザー（操作者）により操作部１７が選択されたときに、選択された操作部１７に対応する効果音を発音する発音手段であるスピーカー２３と、効果音データーを外部から取得するためのデーター取得部である通信モジュール９と、効果音データー記憶部７に既に保持されている効果音データーを、外部から取得された新たな効果音データーに書き換える書き換え手段である制御部５とを備えることとする。【選択図】図１
2011030102.tif 000002
【特許請求の範囲】
【請求項１】
端末装置において、
上記端末装置に備えられる各操作部に対応した効果音のデーターである効果音データーを保持する効果音データー記憶部と、
操作者により上記操作部が選択されたときに、上記選択された操作部に対応する上記効果音を発音する発音手段と、
上記効果音データーを外部から取得するためのデーター取得部と、
上記効果音データー記憶部に保持されている効果音データーを、上記外部から取得された効果音データーに書き換える書き換え手段と、
を備えることを特徴とする端末装置。
【請求項２】
請求項１に記載の端末装置において、
前記外部から取得した前記効果音データーを、前記操作部に対して所望の割り当てを行う割当手段を備えること、
を特徴とする端末装置。
【請求項３】
請求項２に記載の端末装置において、
前記外部から取得する前記効果音データーは、前記効果音データーの対応する操作部についてのタグ情報を有し、前記割当手段は上記タグ情報に基づいて前記効果音データーの前記操作部への割り当てを行うこと、
を特徴とする端末装置。
【請求項４】
請求項１から３のいずれか１項に記載の端末装置は、車載用であることを特徴とする端末装置。
【請求項５】
請求項４に記載の端末装置は、
前記操作部への手指の接近を検出することで、前記操作部が選択されたことを検出する検出手段を備えること、
を特徴とする端末装置。
【請求項６】
端末装置に備えられる各操作部に対応した効果音のデーターを供給するデーター供給装置と、
請求項１から請求項５のいずれか１項に記載の端末装置と、
を備えることを特徴とするデーター取得配信システム。
【請求項７】
請求項６に記載のデーター取得配信システムにおいて、
前記データー供給装置は、前記データー供給装置が保持している前記データー内容を検索する検索手段を有し、
前記端末装置は、上記検索手段により検索された前記データーの供給を受けること、
を特徴とするデーター取得配信システム。
【請求項８】
請求項６または請求項７に記載のデーター取得配信システムにおいて、
前記端末装置および前記データー供給装置は車載され、相互に車車間通信を行うこと、
を特徴とするデーター取得配信システム。
【発明の詳細な説明】
【技術分野】
【０００１】
本発明は、端末装置およびデーター取得配信システムに関する。
【背景技術】
【０００２】
従来、端末装置の一種である車載オーディオでは、ユーザーの手指が操作部に接近あるいは接触すると、手指が接近（接触）した操作部の機能に対応した効果音が発音されるものが提案されている（たとえば、特許文献１参照）。係る車載オーディオは、たとえば、音量を調整する機能を有する操作部（音量調整ボリューム）や、音質を調整する機能を有する操作部（音質調整ボリューム）等、各操作部に、それぞれ手指が接近したことを検出することができる検出機構が備えられている。そして、かかる検出機構を備えることで、車載オーディオは、音量調整ボリュームへの手指の接近（接触）が検出された場合には、所定の効果音Ａ（たとえば、高音のピー音）が発音され、また、音質調整ボリュームへの手指の接近（接触）が検出された場合には、他の効果音Ｂ（たとえば、効果音Ａに比べて低音のピー音）が発音されるというように構成されている。このように、手指が接近（接触）した操作部の機能に応じて、異なる効果音が発音されることで、ユーザーは、操作部に目線を移すことなく、操作しようとしている操作部の機能を知ることができる。そのため、運転中であっても、安全に車載オーディオの操作を行うことができる。
【先行技術文献】
【特許文献】
【０００３】
【特許文献１】特開２０００−３６１５３号公報
【発明の概要】
【発明が解決しようとする課題】
【０００４】
しかしながら、上述の車載オーディオ装置では、効果音の種類は、予め装置の記憶部に保持されている効果音のデーターの範囲に限られる。一方、手指が接近（接触）している操作部の機能を、効果音により認識する場合、認識できるかどうかは、ユーザーの聴覚等の個人の感覚の差に起因する場合がある。たとえば、音感に優れるユーザーにおいては、効果音の周波数やリズム等が少し違えば、その違いを認識できるが、音感に優れないユーザーにおいては、操作部毎に効果音の周波数やリズムを大きく異ならせないと、効果音の違いを認識できない場合もある。また、効果音は、予め装置の記憶部に保持されているものであるため、繰り返し聴いているうちにユーザーは効果音にマンネリ化を感じることもある。
【０００５】
そこで、本発明は、自己の端末装置以外の場所から効果音を取得することができる端末装置およびデーター取得配信システムを提供することを目的とする。
【課題を解決するための手段】
【０００６】
上記課題を解決するために、本発明の端末装置は、端末装置に備えられる各操作部に対応した効果音のデーターである効果音データーを保持する効果音データー記憶部と、操作者により操作部が選択されたときに、選択された操作部に対応する効果音を発音する発音手段と、効果音データーを外部から取得するためのデーター取得部と、効果音データー記憶部に保持されている効果音データーを、外部から取得された効果音データーに書き換える書き換え手段とを備えることとする。
【０００７】
また、上述の端末装置は、外部から取得した効果音データーを、操作部に対して所望の割り当てを行う割当手段を備えることとしてもよい。
【０００８】
また、上述の端末装置においては、外部から取得する効果音データーは、効果音データーの対応する操作部についてのタグ情報を有し、割当手段はタグ情報に基づいて効果音データーの操作部への割り当てを行うこととしてもよい。
【０００９】
また、上述の端末装置は、車載用であることとしてもよい。
【００１０】
また、上述の端末装置は、操作部への手指の接近を検出することで、操作部が選択されたことを検出する検出手段を備えることとしてもよい。
【００１１】
上記課題を解決するために、本発明のデーター取得配信システムは、端末装置に備えられる各操作部に対応した効果音のデーターを供給するデーター供給装置と、上述の端末装置とを備えることとする。
【００１２】
また、上述のデーター取得配信システムにおいては、データー供給装置は、データー供給装置が保持しているデーター内容を検索する検索手段を有し、端末装置は、検索手段により検索されたデーターの供給を受けることとしてもよい。
【００１３】
また、上述のデーター取得配信システムにおいては、端末装置およびデーター供給装置は車載され、相互に車車間通信を行うこととしてもよい。
【発明の効果】
【００１４】
以上のように、本発明の端末装置およびデーター取得配信システムによれば、自己の端末装置以外の場所から効果音を取得することができる。
【図面の簡単な説明】
【００１５】
【図１】本発明の実施の形態に係る端末装置の電気的な構成を示すブロック図である。
【図２】端末装置の操作パネルの正面図を示す図である。
【図３】本発明の実施の形態に係るデーター取得配信システムの概略の構成を示すブロック図である。
【図４】図１に示す検出部の概略の構成を示す図である。
【図５】端末装置のデーター記憶部に保持される効果音データーに関するデーターベースの構成を示す図である。
【図６】他車端末装置の効果音データーを自車端末装置にダウンロードする際の処理を示すフローチャートである。
【図７】反映処理を示すフローチャートである。
【図８】他車端末装置から自車端末装置にダウンロードされた効果音データーに基づいて構成されるデーターベースの構成を示す図である。
【図９】他の反映処理の例を示すフローチャートである。
【図１０】他車端末装置から自車端末装置にダウンロードされた効果音データーに基づいて構成されるデーターベースの構成を示す図である。
【発明を実施するための形態】
【００１６】
以下、本発明の第１の実施の形態を図面に基づいて説明する。
【００１７】
（端末装置１の構成）
図１は、本発明の実施の形態に係る端末装置１の電気的な構成を示すブロック図である。図２は、端末装置１の操作パネル２の正面図を示す図である。図３は、本発明の実施の形態に係るデーター取得配信システム３の概略の構成を示すブロック図である。
【００１８】
図３に示すように、データー取得配信システム３は、複数の車両４，４に搭載された端末装置１により構成される。図３においては、２台の車両４，４にそれぞれ搭載される２つの端末装置１，１によって構成されたデーター取得配信システム３が示されているが、データー取得配信システム３は、３台以上の車両にそれぞれ搭載された３つ以上の端末装置１によって構成されるものであってもよい。
【００１９】
図１，２を参照しながら端末装置１の構成について説明する。端末装置１は、制御部５、ユーザーインターフェース６、データー記憶部７、再生制御部８、通信モジュール９等を有している。
【００２０】
制御部５は、マイクロコンピューターあるいはＣＰＵ（Ｃｅｎｔｒａｌ  Ｐｒｏｃｅｓｓｉｎｇ  Ｕｎｉｔ）、およびメモリー等により構成されている。該メモリーは、いわゆるレジスターとして機能する他、端末装置１を動作させるための各種の処理プログラムやデーター等が記憶されている。つまり、制御部５は、端末装置１の諸動作を制御する制御手段として機能する。
【００２１】
ユーザーインターフェース６は、ユーザー（操作者）が端末装置１に対して諸操作を実行させるための操作パネル２（図２参照）を有する。図２に示すように、操作パネル２には、音量調整機能を有する音量調整ボリューム１０、音質調整機能を有する音量調整ボリューム１１、ラジオの受信周波数を変える機能を有するチューニング゛ボリューム１２等の操作スイッチ１３の他、ＣＤの挿入および排出が行われる機能を有するＣＤ挿入・排出部１４、カセットテープの挿入および排出が行われる機能を有するカセットテープ挿入・排出部１５等が備えられている。また、操作パネル２には、操作スイッチ１３として、後述するように、他車に搭載される端末装置１（以下、他社端末装置１と記載する）から効果音データーを、ユーザーの車両に搭載される端末装置１（以下、自車端末装置１と記載する）にダウンロードするためのダウンロードスイッチ１６も備えられている。なお、以下の説明において、上述の音量調整ボリューム１０等の操作スイッチ１３、ＣＤ挿入・排出部１４、カセットテープ挿入・排出部１５等の操作パネル２に備えられる各操作部を総称する場合には、操作部１７と記載することとする。
【００２２】
各操作部１７、すなわち各操作スイッチ１３、ＣＤの挿入・排出部１４、カセットテープの挿入・排出部１５等の近傍には、それぞれ、手指の接近を検出する検出手段としての検出部１８（図１、図４参照）が備えられている。検出部１８は、たとえば、図４に示すように、赤外線の投光部１９と受光部２０とを備え、投光部１９から発光され、手指で反射された赤外線を受光部２０で検出することにより手指の接近を検出できる構成となっている。したがって、制御部５は、検出部１８からの検出信号を受けることにより、ユーザーの手指がどの操作部１７に接近しているか、すなわち、ユーザーが操作しようとしている操作部１７を判断（検出）することができる。
【００２３】
データー記憶部７は、たとえば、ＨＤ（Ｈａｒｄ  Ｄｉｓｋ）等から構成されている。そして、このデーター記憶部７には、図５に示すように、操作部１７としての操作スイッチ１３等に対応させた効果音の効果音データーのデーターベース２１が構築されている。データーベース２１は、たとえば、音量調整ボリューム１０に対応して効果音データー１０Ｄ、音量調整ボリューム１１に対応して効果音データー１１Ｄ、チューニング゛ボリューム１２に対応して効果音データー１２Ｄというように、各操作部１７毎に効果音のデーターが対応させられている。つまり、後述するように、端末装置１は、各操作部１７に手指が接近すると、このデーターベース２１に基づいて、手指が接近した操作部１７に対応する効果音を発音することができるように構成されている。
【００２４】
再生制御部８は、データー記憶部７に記憶されている効果音データーにデコード等の再生処理を施す。再生制御部８にて再生処理された効果音データーは、アンプ２２を介して発音手段としてのスピーカー２３から効果音として発音（出力）させられる。
【００２５】
通信モジュール９は、車車間通信を行うための通信装置であり、この通信モジュール９による無線通信によって他車端末装置１と相互に通信を行うことができる。通信モジュール９は、他車端末装置１から効果音データーをダウンロードする際のデーター取得部としても機能する。
【００２６】
（端末装置１の動作）
上述のように構成される端末装置１は、ユーザーが、端末装置１を操作するために手指を操作部１７に接近させると、手指が接近した操作部１７毎に割り当てられた（対応した）効果音が発音するように構成されている。以下に、効果音の発音動作について説明をする。
【００２７】
端末装置１の操作に当たり、たとえば、ユーザーが音量を調整しようとして音量調整ボリューム１０に手指を接近させる。そうすると、音量調整ボリューム１０の近傍に配置される検出部１８によって手指の接近が検出され、検出部１８から、音量調整ボリューム１０に手指が接近したことを検出した検出信号が出力される。この検出信号により、制御部５において、手指が、音量調整ボリューム１０に接近したと判断される。そして、この判断に従って、制御部５は、データーベース２１に基づいて、効果音データー１０Ｄをデーター記憶部７から呼び出し、再生制御部８に送る。そして、再生制御部８において効果音データー１０Ｄに対してデコード等の所定の処理が行われ、アンプ２２を介してスピーカー２３から効果音が発音される。
【００２８】
また、たとえば、ユーザーの手指が、音量調整ボリューム１１に接近した場合には、音量調整ボリューム１１の近傍に配置される検出部１８から検出信号が出力され、制御部５において、手指が、音量調整ボリューム１０に接近したと判断される。そして、制御部５は、データーベース２１に基づいて、効果音データー１１Ｄをデーター記憶部７から呼び出し、再生制御部８に送る。スピーカー２３からは、効果音データー１１Ｄに基づく効果音が発音される。
【００２９】
このように、端末装置１では、ユーザーの手指が接近した操作部１７に対応した効果音がスピーカー２３から発音される。そのため、ユーザーは、効果音の内容により手指が操作部１７のどこに位置しているかを認識することができる。したがって、ユーザーは、端末装置１の操作部１７を操作するのに際して、端末装置１に視線を移さなくても、自身が操作しようとしている操作部１７を知ることができる。そのため、運転中であっても、運転方向前方から目線をパネル２に移す必要がないため、安全に端末装置１の操作を行うことができる。
【００３０】
（効果音データーのダウンロード）
次に、データー供給装置として機能する他車端末装置１から自車端末装置１に効果音データーをダウンロードする場合の動作について説明する。
【００３１】
他車端末装置１の効果音データーの自車端末装置１へのダウンロードは、ダウンロードスイッチ１６の操作により開始される。自車端末装置１のダウンロードスイッチ１６がユーザーにより操作されると、制御部５は、ダウンロードプログラムにより、図６のフローチャートに示す処理を開始する。
【００３２】
先ず、制御部５は、通信モジュール９を介して、通信可能範囲に通信可能な車両（他社端末装置１）が存在するかどうかを判断する（ステップＳ１０）。通信可能範囲に通信可能な車両が存在しない場合には（ステップＳ１０においてＮｏ）、その旨の表示に併せてダウンロードの処理を中止することをユーザーに選択させる選択表示を表示部２４（図２参照）に行う（ステップＳ２０）。そして、ユーザーが操作部１７に備えられる所定の操作スイッチ（図示省略）を操作した場合には、制御部５は、ユーザーにより端末装置１に対して、ダウンロード処理の中止が指示されたと判断し（ステップＳ３０においてＹｅｓ）、ダウンロード処理を中止する。該所定の操作スイッチが操作されない場合には（ステップＳ３０においてＮｏ）、ステップＳ１０、ステップＳ２０、ステップＳ３０の処理を繰り返し、通信可能範囲に通信可能な車両が現れるまでダウンロードの待機状態を継続する。
【００３３】
ステップＳ１０において、通信可能範囲に通信可能な他者端末装置１が存在すると判断された場合には（ステップＳ１０においてＹｅｓ）、通信モジュール９により他社端末装置１と交信を行い、他社端末装置１のデーター記憶部７に保持されている効果音データーを、自車端末装置１のデーター記憶部７にダウンロードする（ステップＳ４０）。そして、ダウンロードした効果音データーを、対応する操作スイッチ１３等の操作部１７に割り当てる反映処理（ステップＳ５０）が行われる。つまり、反映処理（ステップＳ５０）では、データーベース２１の効果音データーの一部または全部を、ダウンロードした効果音データーに書き換える処理が行われる。端末装置１は、反映処理（ステップＳ５０）が実行されることで、新たな効果音データーが割り当てられた操作部１７等に手指が接近したときには、新たな効果音データーに基づく効果音が発音されることになる。
【００３４】
（反映処理）
反映処理（ステップＳ５０）は、具体的には、たとえば、図７のフローチャートに示す処理により行うことができる。
【００３５】
先ず、他車端末装置１から自車端末装置１のデーター記憶部７にダウンロード（図６におけるステップＳ４０）される効果音データーに基づいて、図８に示すように、効果音データー毎にリスト番号が対応させられたデーターベース２５を作成しデーター記憶部７に記憶する（ステップＳ５１０）。そして、反映処理を行うか、行わないかを、ユーザーに選択させる旨のメッセージが、表示部２４に表示される（ステップＳ５１１）。
【００３６】
この表示（ステップＳ５１１）に従いユーザーが所定の操作スイッチ（図示省略：反映処理を開始するためのスイッチ）を押下すると、割当手段としても機能する制御部５において、反映処理の指示があったと判断され（ステップＳ５１２においてＹｅｓ）、ダウンロードされた効果音データーを、操作部１７（各操作スイッチ１３等）に割り当てる処理である割当処理（ステップＳ５１３〜ステップＳ５１８）が実行される。この割当処理では、自車端末装置１のデーターベース２１の中で、効果音を変更したい操作部１７に対応する効果音データーを、データーベース２５の中にある所望の効果音データーに書き換える処理が行われる。
【００３７】
割当処理は、たとえば、次のように実行される。
【００３８】
操作部１７には、データーベース２５のリスト番号を指定することができる操作スイッチ２６と、データーベース２１の効果音データーを書き換えたい操作部１７（書き換え先）を指定することができる操作スイッチ２７が設けられている。
【００３９】
反映処理の開始が指示されると（ステップＳ５１２においてＹｅｓ）、ユーザーに対してリスト番号の指定を促す旨の表示が表示部２４に行われる（ステップＳ５１３）。この指示（ステップＳ５１３）に従い、ユーザーが、操作スイッチ２６を操作することで、データーベース２５のリスト番号が指定されると（ステップＳ５１４においてＹｅｓ）、リスト番号に対応した効果音データーの効果音の発音が行われる（ステップＳ５１５）。
【００４０】
そして、ユーザーが、操作スイッチ２７を操作して、データーベース２１の効果音データーを書き換えたい操作部１７を指定すると共に、書き変えの実行を指示すると（ステップＳ５１６においてＹｅｓ）、指定された操作部１７に対応する効果音データー（データーベース２５の中の効果音データー）を、ステップＳ５１４において指定されたリスト番号の効果音データーに書き換える（ステップＳ５１７）。つまり、この書き換え（ステップＳ５１７）によって、データーベース２１の中の効果音を変更したい操作部１７に対して、データーベース２５の指定されたリスト番号に対応する新たな効果音データーが割り当てられる。
【００４１】
そして、ユーザーにより、所定の反映処理を終了させるための操作スイッチ２８が操作されると（ステップＳ５１８においてＹｅｓ）、ダウンロードプログラムによる一連の処理が終了される。また、ステップＳ５１５において発音された効果音の効果音データーを、操作部１７の効果音データーに割り当てる必要がないとユーザーが判断し、操作スイッチ２９が操作されると（ステップＳ５１６においてＮｏ）、データーベース２１の効果音データーの書き換えは行われない。
【００４２】
操作スイッチ２９の操作（ステップＳ５１６においてＮｏ）に続いて、所定の反映処理を終了させるための操作スイッチ２８が操作されると（ステップＳ５１８においてＹｅｓ）、ダウンロードプログラムによる一連の処理が終了される。一方、書き換え処理（ステップＳ５１７）あるいは操作スイッチ２９が操作された後（ステップＳ５１６においてＮｏ）、操作スイッチ２８が操作されない場合は（ステップＳ５１８においてＮｏ）、新たなリスト番号の指定（ステップＳ５１４）を待って、上述の割当処理（ステップＳ５１４からステップＳ５１８）が実行される。
【００４３】
なお、ステップＳ５１２において、反映処理開始のための所定の操作スイッチが操作される換わりに、反映処理を行わない操作スイッチ（図示省略）が操作されると（ステップＳ５１２においてＮｏ）、データーベース２５をデーター記憶部７に保持した状態でダウンロードプログラムによる一連の処理が終了する。後日、上述のステップＳ５１３〜ステップＳ５１８（割当処理）の処理を行うことで、データーベース２５のデーターベース２１への反映を行うことができる。
【００４４】
ダウンロードした効果音データーの自車端末装置１への反映処理（ステップＳ５０）は、たとえば、図９のフローチャートに示す処理により行うこともできる。
【００４５】
図９に示す処理においては、他車端末装置１に保持される各効果音データーが、たとえば、図１０に示すデーターベース３０のように、各操作部１７に対応するタグ情報を持っているものとする。
【００４６】
上述したように、ダウンロードスイッチ１６の操作により、ステップＳ４０において、他社端末装置１のデーター記憶部７に保持されているデーターベース３０のデーターが、自車端末装置１のデーター記憶部７にダウンロードされる。このダウンロード（ステップＳ４０）に続いて、反映処理（ステップＳ５０）では、先ず、ダウンロードされたデーターベース３０のデーターを、自車端末装置１に対して反映処理を行うか、行わないかを、ユーザーに選択させる旨のメッセージが、表示部２４に表示される（ステップＳ５２０）。
【００４７】
この表示（ステップＳ５２０）に従いユーザーが所定の操作スイッチ（図示省略：反映処理を開始するためのスイッチ）を押下すると、制御部５において反映処理の指示があったと判断され（ステップＳ５２１においてＹｅｓ）、ダウンロードされた効果音データーを操作部１７（各操作スイッチ１３等）に割り当てる処理である割当処理（ステップＳ５２２〜ステップＳ５２７）が実行される。この割当処理では、自車端末装置１のデーターベース２１の中で、効果音を変更したい操作部１７に対応する効果音データーを、データーベース３０の中にある所定の効果音データーに書き換える処理が行われる。
【００４８】
割当処理は、たとえば、次のように実行される。
【００４９】
操作部１７には、データーベース３０の操作部１７に対応した効果音データーを指定することができる操作スイッチ３１が備えられている。また、操作部１７には、データーベース２１の効果音データーを、操作スイッチ３１により指定されたデーターベース３０の効果音データーに書き換えを実行する操作スイッチ３２が設けられている。
【００５０】
つまり、割当処理において、反映処理の開始が指示されると（ステップＳ５２１においてＹｅｓ）、データーベース３０のタグ情報に基づいて、データーベース３０において効果音データーが割り当てられている操作部１７の名称のリスト（操作部情報）が表示部２４に表示される（ステップＳ５２２）。また、この表示に併せて、表示されたリストの中で、効果音データーを書き換えたい操作部１７をユーザーに指定させる表示が表示部２４に行われる（ステップＳ５２２）。この表示（ステップＳ５２２）に従って、ユーザーが、操作スイッチ３１を操作して、該リスト上で操作部１７を指定することで、指定された操作部１７に対応する効果音データー（データーベース３０の操作部１７に対応する効果音データー）が指定される（ステップＳ５２３においてＹｅｓ）。そうすると、指定された操作部１７に対応する効果音データーの効果音の発音が行われる（ステップＳ５２４）。
【００５１】
続いて、ユーザーが、操作スイッチ３２を操作し書き換えを指示すると（ステップＳ５２５においてＹｅｓ）、データーベース２１の効果音データーのうち、ステップＳ５２４において発音された効果音の効果音データーのタグ情報に対応する操作部１７の効果音データが、発音された効果音の効果音データー（データーベース３０の効果音データー）に書き換えられる（ステップＳ５２６）。上述したように、データーベース３０の効果音データーには、対応する操作部１７を示すタグ情報が付与されている。また、このタグ情報は、データーベース２１の操作部１７にも対応している。したがって、ステップＳ５２６の書き換えでは、タグ情報に基づいて、タグ情報が対応しているデーターベース２１の効果音データーを、データーベース３０のタグ情報に対応する効果音データーに書き換える。
【００５２】
そして、データーベース２１の書き換え処理の実行後、ユーザーにより、所定の反映処理を終了させるための操作スイッチ３３が操作されると（ステップＳ５２７においてＹｅｓ）、ダウンロードプログラムによる一連の処理が終了される。また、ステップＳ５２５において発音された効果音の効果音データーを、データーベース２１の効果音データーに書き換える必要がないとユーザーが判断し、操作スイッチ３４が操作されると（ステップＳ５２５においてＮｏ）、データーベース２１の効果音データーの書き換えは行われない。
【００５３】
操作スイッチ３４の操作に続いて、所定の反映処理を終了させるための操作スイッチ３３が操作されると（ステップＳ５２７においてＹｅｓ）、ダウンロードプログラムによる一連の処理が終了される。一方、書き換え処理（ステップＳ５２６）あるいは操作スイッチ３４が操作された後（ステップＳ５２５においてＮｏ）、操作スイッチ３３が操作されない場合は（ステップＳ５２７においてＮｏ）、データーベース３０の効果音データーの指定（ステップＳ５２３）を待って、上述の割当処理（ステップＳ５２３からステップＳ５２７）が実行される。なお、ステップＳ５２１において、反映処理開始のための所定の操作スイッチが操作される換わりに、反映処理を行わない操作スイッチが操作されると（ステップＳ５２１においてＮｏ）、データーベース３０をデーター記憶部７に保持した状態でダウンロードプログラムによる一連の処理が終了する。後日、上述のステップＳ５２０〜ステップＳ５２７（割当処理）の処理を行うことで、データーベース３０のデーターベース２１への反映を行うことができる。
【００５４】
なお、データーベース３０をダウンロードした場合、反映処理（ステップＳ５０）では、上述したステップＳ５２０〜ステップＳ５２７の処理に依らず、自動的に（ユーザーの操作によることなく）、データーベース３０のタグ情報とデーターベース２１の操作部１７とを比較し、タグ情報に対応する操作部１７の効果音データー（データーベース２１の効果音データー）をデーターベース３０の効果音データーに書き換えるようにしてもよい。
【００５５】
ところで、他社端末装置１においては、制御部５に、自車端末装置１からの要請に応じて効果音データーの検索を行うことができる検索手段を構成してもよい。他社端末装置１をこのように構成することで、自車端末装置１から、自車端末装置１に必要な効果音データーのみをダウンロードすることができる。したがって、たとえば、他社端末装置１に保持される効果音データーに効果音の発音時間の長さに関するタグ情報を保持させることで、効果音の発音時間が所定時間よりも短い効果音データーを選択的にダウンロードすることができる。そのため、ダウンロードするデーター量を減らすことができ、ダウンロードに要する時間を短縮することができる。
【００５６】
なお、他社端末装置１に保持される音楽（曲）ファイルの中から音楽のデーターを、自車端末装置１の効果音データーとしてダウンロードするように構成してもよい。この場合、音楽のデーターのタグ情報の演奏時間に関する情報に基づき、所定の演奏時間以内の音楽データーを検索しダウンロードすることで、ダウンロードされるデーター量を少なくすることができる。
【００５７】
また、上述の端末装置１では、検出部１８により操作部１７への手指の接近を検出し、この検出結果により効果音の発音を行う構成となっているが、操作部１７が実際に操作されたことを検出し、この検出により操作部１７が選択されたと判断して、効果音を発音する構成としてもよい。
【００５８】
上述のように本実施の形態の端末装置１においては、端末装置１に備えられる操作スイッチ１３やＣＤ挿入・排出部１４等の各操作部１７に対応した効果音のデーターである効果音データーを保持する効果音データー記憶部７と、ユーザー（操作者）により操作部１７が選択されたときに、選択された操作部１７に対応する効果音を発音する発音手段であるスピーカー２３と、効果音データーを外部から取得するためのデーター取得部である通信モジュール９と、効果音データー記憶部７に既に保持されている効果音データーを、外部から取得された新たな効果音データーに書き換える書き換え手段である制御部５とを備えている。
【００５９】
このように端末装置１を構成することで、端末装置１の操作部１７をユーザーが選択した際に発音される効果音の変更を行うことができる。効果音の変更を行うようにすることができることで、ユーザーの端末装置１の使用スタイル等に応じて、効果音を設定することができる。たとえば、端末装置１が使用される周囲の音状況（騒音レベル、音響環境等）に応じた音域やリズム等の効果音に設定することができる。また、ユーザーの嗜好に合わせた効果音に設定することもできる。なお、上述の実施の形態では、外部から取得される効果音データーを、他車端末装置１から取得しているが、取得先は、他車端末装置１に限らず、車両以外の通信基地等に備え得られるサーバーから取得することとしてもよい。また、効果音データーの書き換えを行う端末装置１についても、車両に搭載される形態を示しているが、ホームオーディオやポータブルオーディオあるいは携帯電話を端末装置１とするものであってもよい。
【００６０】
また、端末装置１は、外部から取得した効果音データーを、割当手段である制御部５により、操作部１７に対して所望の割り当てを行うことができる構成とされている。
【００６１】
このように端末装置１を構成することで、操作部１７に所望の効果音を割り当てることができる。したがって、ダウンロードした効果音データーの中から、たとえば、ユーザーの聴力等の自身の感覚に基づいて、操作部１７の違いを効果音の違いから判別し易い効果音の効果音データーを操作部１７に割り当てることができる。また、ダウンロードした効果音データーの中から、ユーザーの嗜好に叶う効果音の効果音データーを操作部１７に割り当てることができる。
【００６２】
また、端末装置１は、外部から取得する効果音データーは、効果音データーの対応する操作部１７についてのタグ情報を有し、割当手段である制御部５はタグ情報に基づいて効果音データーの対応する操作部１７に割り当てを行う構成としている。
【００６３】
このように端末装置１を構成することで、効果音データーの操作部１７への割り当てを容易に行うことができる。
【００６４】
また、端末装置１は、車載用として用いられている。
【００６５】
このように端末装置１を車載オーディオとして用いることで、手指が接近（接触）した操作部の機能に応じて、異なる効果音が発音される。そのため、ユーザー（ドライバー）は、運転中であっても操作部１７に目線を移す必要性が少なくなり、安全に車載オーディオの操作を行うことができる。特に、操作部１７に割り当てられている効果音が、ユーザーの聴覚等の感覚にとって、操作部１７の違いを判別し易いものに設定されている場合には、操作部１７の選択を確実に行うことができ、運転中の車載オーディオの操作をより安全なものとすることができる。
【００６６】
また、端末装置１は、操作部１７への手指の接近を検出することで、操作部１７が選択されたことを検出する検出部１８を備えている。
【００６７】
このように端末装置１を構成することで、ユーザーが操作部１７を操作しようとして手指を接近（接触）させた操作部１７を検出することができる。そして、手指が接近した操作部１７に対応した効果音が発音されることで、ユーザーは、運転中であっても操作部に目線を移すことなく、手指がどの操作部１７を操作しようとしているかを判断することができる。そのため、運転中であっても、安全に車載オーディオの操作を行うことができる。
【００６８】
上述のように本実施の形態のデーター取得配信システム３においては、自車端末装置１に備えられる各操作部１７に対応した効果音のデーターを供給するデーター供給装置としての他車端末装置１と、自車端末装置１とを備えている。
【００６９】
このようにデーター取得配信システム３を構成することで、自車端末装置１の操作部１７をユーザーが選択した際に発音される効果音の変更を行うことができる。効果音の変更を行うようにすることができることで、自車端末装置１の使用スタイル等に応じて、効果音を設定することができる。なお、上述の実施の形態では、データー供給装置を他車端末装置１とし、外部から取得される効果音データーを他車端末装置１から取得しているが、取得先は、他車端末装置１に限らず、車両以外の通信基地等に備え得られるサーバーから取得することとしてもよい。また、効果音データーの書き換えを行う端末装置１についても、車両に搭載される形態を示しているが、ホームオーディオやポータブルオーディオあるいは携帯電話を端末装置１とするものであってもよい。
【００７０】
また、データー取得配信システム３は、データー供給装置としての他車端末装置１には、他車端末装置１が保持している効果音のデーター内容を検索する検索手段としての制御部５を有し、自車端末装置１は、制御部５により検索された効果音データの供給を受けることとしている。
【００７１】
データー取得配信システム３をこのように構成することで、自車端末装置１は、必要な効果音データーの供給を受けることができる。
【００７２】
また、データー取得配信システム３は、効果音データーの供給を受ける端末装置１とデーター供給装置として効果音データーの供給を行う端末装置１は共に、車両に搭載され車車間通信を行うこととしている。
【００７３】
データー取得配信システム３をこのように構成することで、効果音データーの供給を受ける端末装置１と効果音データーの供給を行う端末装置１とが、相互に多くの異なる端末装置１と通信を行う機会が増え、操作部１７に設定することができる効果音の種類を増やすことができる。なお、通信手段は、近距離無線やＷｉＭＡＸ（ワイマックス、Ｗｏｒｌｄｗｉｄｅ
Ｉｎｔｅｒｏｐｅｒａｂｉｌｉｔｙ ｆｏｒ Ｍｉｃｒｏｗａｖｅ Ａｃｃｅｓｓ）により実現することもできる。
【００７４】
なお、上述の実施の形態における他車端末装置１については、データー供給装置として説明し、自車端末装置１については、効果音データーのダウンロード（供給）を受ける側として説明しているが、他車端末装置１が効果音データーのダウンロードを受ける側となり、自車端末装置１となる場合もある。つまり、自車端末装置１と他車端末装置１が相互に通信をし合うことができる。これにより、相互の効果音データーをやりとりすることができ、取得することができる効果音の種類を増やすことができる。
【符号の説明】
【００７５】
１  ・・・  端末装置、データー供給装置
３  ・・・  データー取得配信システム
５  ・・・  制御部（書き換え手段、割当手段、検索手段）
７  ・・・  データー記憶部（効果音データー記憶部）
９  ・・・  通信モジュール（データー取得部）
１０  ・・・  音量調整ボリューム（操作部）
１１  ・・・  音質調整ボリューム（操作部）
１２  ・・・  チューニング゛ボリューム（操作部）
１３  ・・・  操作スイッチ（操作部）
１４  ・・・  ＣＤ挿入・排出口（操作部）
１５  ・・・  カセット挿入・排出口（操作部）
１６  ・・・  ダウンロードスイッチ（操作部）
１７  ・・・  操作部
１８  ・・・  検出部（検出手段）
２３  ・・・  スピーカー（発音手段）
【図１】
2011030102.tif 000003
【図２】
2011030102.tif 000004
【図３】
2011030102.tif 000005
【図４】
2011030102.tif 000006
【図５】
2011030102.tif 000007
【図６】
2011030102.tif 000008
【図７】
2011030102.tif 000009
【図８】
2011030102.tif 000010
【図９】
2011030102.tif 000011
【図１０】
2011030102.tif 000012